(57)【要約】      （修正有）【課題】遊技者が各自の遊技履歴を確認したり際立たせて表示することを可能にするとともに、遊技場運営者にとっても会員以外の遊技者の動向を把握することを可能とする、遊技情報表示システムと遊技情報表示装置を提供する。【解決手段】複数の遊技台２と、各遊技台から発信される遊技台情報を収集する遊技場管理用コンピュータ４と、各遊技台の上に設置され、遊技場管理用コンピュータから配信される遊技情報を受信して表示する遊技情報表示装置３と、からなる遊技情報表示システムおよび遊技情報表示装置であって、遊技情報表示装置が、遊技者の所有する通信端末から発信される識別認証情報を受信する機能と、識別認証情報を遊技場管理用コンピュータに送信する機能を有し、遊技場管理用コンピュータが、通信端末と遊技台情報を関連付けて、遊技データとして記憶する機能を有し、遊技データを処理して、遊技情報表示装置に送信する機能を有する。【選択図】図２
2015107286.tif 000002
【特許請求の範囲】
【請求項１】
遊技場に配置された複数の遊技台と、
各遊技台から発信される遊技台情報を収集してデータ処理する機能を有する遊技場管理用コンピュータと、
各遊技台の上に設置され、前記遊技場管理用コンピュータから配信される遊技情報を受信して表示する遊技情報表示装置と、からなる遊技情報表示システムであって、
前記遊技情報表示装置が、遊技者の所有する通信端末から発信される識別認証情報を受信する機能と、前記識別認証情報を前記遊技場管理用コンピュータに送信する機能を有し、
前記遊技場管理用コンピュータが、前記通信端末と前記遊技情報表示装置を設置する遊技台の遊技台情報を関連付けて、遊技データとして記憶する機能を有し、
前記通信端末に関連付けられて記憶された遊技データを処理して、前記遊技情報表示装置に送信する機能を有することを特徴とする遊技情報表示システム。
【請求項２】
請求項１に記載の遊技情報表示システムにおいて、
前記遊技情報管理用コンピュータが、前記通信端末に関連づけられて記憶した遊技データを、前記通信端末に関連づけられる遊技履歴データとして蓄積する機能を有することを特徴とする遊技情報表示システム。
【請求項３】
請求項２に記載の遊技情報表示システムにおいて、
前記遊技情報管理用コンピュータに記憶された、前記通信端末に関連づけられる遊技履歴データを、
前記通信端末から発信される識別認証情報を受信した遊技情報表示装置のみが表示可能となる機能を有していることを特徴とする遊技情報表示システム。
【請求項４】
請求項３に記載の遊技情報表示システムにおいて、
前記遊技情報管理用コンピュータから発信され、前記遊技場表示装置に表示される、前記通信端末に関連づけられる遊技履歴データの表示内容を、
前記通信端末によってカスタマイズする機能を有することを特徴とする遊技情報表示システム。
【請求項５】
遊技場に配置された複数の遊技台の、各遊技台の上に設置され、
遊技場内の各遊技台の情報を取得する遊技場管理用コンピュータから配信される遊技情報を受信して表示する遊技情報表示装置であって、
遊技者の所持する通信端末から発せられる、前記通信端末を識別認証する情報を受信して、遊技場管理用コンピュータに送信する機能を有することを特徴とする、遊技情報表示装置。
【請求項６】
請求項５に記載の遊技情報表示装置であって、
遊技場管理用コンピュータが定めた、識別認証のための情報を前記通信端末に伝達する機能を有することを特徴とする遊技情報表示装置。
【請求項７】
請求項５または請求項６に記載の遊技情報表示装置であって、
前記通信端末を識別する情報を、２次元画像として受信する機能を有することを特徴とする遊技情報表示装置。
【請求項８】
請求項５または請求項６に記載の遊技情報表示装置であって、
前記通信端末を識別する情報を、近距離通信信号として受信する機能を有することを特徴とする遊技情報表示装置。
【発明の詳細な説明】
【技術分野】
【０００１】
本発明は、パチンコ、スロットマシン等の遊技履歴を集約し表示するための遊技情報表示システム及び、そこで用いられる遊技情報表示装置に関する。
【背景技術】
【０００２】
最近、遊技場に複数配置されたパチンコ、スロットマシン等の遊技台の、各遊技台の上に図１０のように設置される遊技情報表示装置の普及が進んでいる。遊技情報表示装置は、図１１のように、各遊技台に関する遊技履歴等を表示することが可能であり、遊技者は、その表示内容を遊技台選択の参考としている。
【０００３】
図１２に示すように、遊技情報表示装置３は、遊技場管理用コンピュータに４接続されており、遊技場管理用コンピュータ４は各遊技台２と接続されている。遊技場管理コンピュータ４は各遊技台２から出力される遊技台情報を収集して蓄積したり蓄積された情報を処理する機能を有している。このため、遊技情報表示装置３は、それを設置する遊技台２の遊技履歴のみならず、他の遊技台２の遊技履歴を表示することも可能な構成となっている。
【０００４】
また、特許文献１のように、遊技台の表示機能に表示された２次元コードを携帯通信端末が認識することをきっかけとして、該遊技台の遊技履歴を携帯通信端末にダウンロードする情報提供システムも提案されている。その一例を図１３に示すが、遊技台２の表示機能２１Ａに表示された２次元コードを携帯通信端末の撮像手段６２で読み取ることで、携帯通信端末は、インターネット回線等を通じて遊技場管理用コンピュータに接続可能となり、データのダウンロードが可能になる。これにより、遊技者が携帯通信端末を媒体として、遊技場管理コンピュータから配信される遊技場に関する情報（図１４Ａ）や、遊技台の履歴情報（図１４Ｂ）を入手できるようになっている。
【０００５】
一方、遊技場を運営する側が、遊技者の動向を把握することが遊技台の選定やレイアウト変更の参考になるため、会員登録している遊技者に関しては、会員ＩＤと関連付けた遊技履歴を解析することがある。
【先行技術文献】
【特許文献】
【０００６】
【特許文献１】特開２００６−１６７０８４号公報
【発明の概要】
【発明が解決しようとする課題】
【０００７】
しかしながら上記のような遊技情報に関する従来のシステムでは以下のような問題があった。
まず、遊技情報表示装置に関しては、そこに表示される内容で各遊技者が自分の遊技履歴を確認することは出来なかった。また、表示画面を遊技者がカスタマイズするこも出来なかった。このため、過去の遊技履歴を目立つように表示して、他の遊技者に見せて自慢したいという要望に応えることは出来ていなかった。
また、携帯通信端末の利用については、携帯通信端末から遊技場管理用コンピュータに情報を送信することは出来なかった。このため、携帯通信端末と関連付けた遊技履歴を得ることが出来なかった。
さらに、遊技場を運営する側にとっても、会員登録している遊技者の動向のみで、遊技台の選定を行うことにリスクが有った。
【０００８】
本発明は上記事情に鑑みてなされたものであり、遊技者が各自の遊技履歴を確認したり際立たせて表示することを可能にするとともに、遊技場運営者にとっても会員以外の遊技者の動向を把握することを可能とする、遊技情報表示システムと遊技情報表示装置を提供することを目的とする。
【課題を解決するための手段】
【０００９】
上記課題を解決するために、請求項１に記載の発明は、
遊技場に配置された複数の遊技台と、
各遊技台から発信される遊技台情報を収集してデータ処理する機能を有する遊技場管理用コンピュータと、
各遊技台の上に設置され、前記遊技場管理用コンピュータから配信される遊技情報を受信して表示する遊技情報表示装置と、からなる遊技情報表示システムであって、
前記遊技情報表示装置が、遊技者の所有する通信端末から発信される識別認証情報を受信する機能と、前記識別認証情報を前記遊技場管理用コンピュータに送信する機能を有し、
前記遊技場管理用コンピュータが、前記通信端末と前記遊技情報表示装置を設置する遊技台の遊技台情報を関連付けて、遊技データとして記憶する機能を有し、
前記通信端末に関連付けられて記憶された遊技データを処理して、前記遊技情報表示装置に送信する機能を有することを特徴とする。
【００１０】
請求項２に記載の発明は、請求項１に記載の遊技情報表示システムにおいて、
前記遊技情報管理用コンピュータが、前記通信端末に関連づけられて記憶した遊技データを、前記通信端末に関連づけられる遊技履歴データとして蓄積する機能を有することを特徴とする。
【００１１】
請求項３に記載の発明は、請求項２に記載の遊技情報表示システムにおいて、
前記遊技情報管理用コンピュータに記憶された、前記通信端末に関連づけられる遊技履歴データを、
前記通信端末から発信される識別認証情報を受信した遊技情報表示装置のみが表示可能となる機能を有していることを特徴とする。
【００１２】
請求項４に記載の発明は、請求項３に記載の遊技情報表示システムにおいて、
前記遊技情報管理用コンピュータから発信され、前記遊技場表示装置に表示される、前記通信端末に関連づけられる遊技履歴データの表示内容を、
前記通信端末によってカスタマイズする機能を有することを特徴とする。
【００１３】
請求項５に記載の発明は、遊技場に配置された複数の遊技台の、各遊技台の上に設置され、
遊技場内の各遊技台の情報を取得する遊技場管理用コンピュータから配信される遊技情報を受信して表示する遊技情報表示装置であって、
遊技者の所持する通信端末から発せられる、前記通信端末を識別認証する情報を受信して、遊技場管理用コンピュータに送信する機能を有することを特徴とする。
【００１４】
請求項６に記載の発明は、請求項５に記載の遊技情報表示装置であって、
遊技場管理用コンピュータが定めた、識別認証のための情報を前記通信端末に伝達する機能を有することを特徴とする。
【００１５】
請求項７に記載の発明は、請求項５または請求項６に記載の遊技情報表示装置であって、
前記通信端末を識別する情報を、２次元画像として受信する機能を有することを特徴とする。
【００１６】
請求項８に記載の発明は、請求項５または請求項６に記載の遊技情報表示装置であって、
前記通信端末を識別する情報を、近距離通信信号として受信する機能を有することを特徴とする。
【発明の効果】
【００１７】
本発明によれば、携帯通信端末を媒体として、遊技者と遊技データを関連付けて遊技場管理用コンピュータに記憶することができる。また、蓄積された各自の遊技履歴データを、携帯通信端末を操作することにより、遊技者が確認したり際立たせて表示することを可能にする。また、遊技場運営者にとっても会員以外の遊技者の動向を把握することが可能となる。
【図面の簡単な説明】
【００１８】
【図１】本発明の実施の形態における基本構成を説明する図である。
【図２】本発明の実施の形態における情報伝達を説明するための図である。
【図３】本発明の実施の形態における携帯通信端末の識別認証の一連の流れを説明する図である。
【図４】本発明の実施の形態における携帯通信端末の表示画面の一例を示す図である。
【図５】本発明の実施の形態における記憶された遊技履歴の一例を示す図である。
【図６】本発明の実施の形態における記憶された遊技履歴の集約例を示す図である。
【図７】本発明の実施の形態における遊技情報表示装置画面の内容変更およびカスタマイズの流れを示す図である。
【図８】本発明の実施の形態における遊技情報表示装置画面のカスタマイズ例を示す図である。
【図９】会員カードのＩＤを読み込む台間機について説明する図である。
【図１０】遊技場における遊技台に設置された遊技情報表示装置を説明する図である。
【図１１】遊技情報表示装置の表示画面の一例を示す図である。
【図１２】従来の遊技情報表示装置の機能を説明する図である。
【図１３】先行技術として存在する遊技台と携帯通信端末を用いた情報入手法方を説明する図である。
【図１４】従来技術で携帯通信端末に配信される情報を示す図である。
【発明を実施するための形態】
【００１９】
以下、本発明を実施するための形態を図面を用いて説明する。まず、図１は本発明に係る遊技情報表示システムの一例の基本構成を示している。図１の遊技情報表示システム１において、パチンコまたはスロットマシン等である遊技台２の情報は遊技場管理用コンピュータ４に集積される構成となっているが、遊技台２と遊技場管理用コンピュータ４の間に、一定台数の遊技台からなる遊技島を管理する、島管理用コンピュータが介在しても良い。また、遊技情報表示装置３は、遊技場管理用コンピュータ４から配信される情報を受信し、情報表示画面３１に表示する機能を有し、タッチパネル機能等により表示内容を変更する機能を有していても良い。更に、遊技情報表示装置は、ＣＣＤカメラ等の撮像手段３２を備えるとともに、撮像手段３２によって得た画像情報を遊技場管理用コンピュータ４に送信する機能を有している。
【００２０】
なお、各遊技情報表示装置３は、それぞれが設置されている遊技台２を識別する機能も有しており、撮像手段３２によって得た画像情報は、遊技台２を識別する情報とともに遊技場管理用コンピュータ４に送信することが出来る。
【００２１】
この遊技情報表示システム１は、遊技者の保有する携帯通信端末６と情報の送受信を行うことが出来、以下その情報のやりとりについて図２及び図３を用いて説明する。
【００２２】
まず、遊技者は、保有する携帯通信端末６の登録作業を進めるために、遊技情報表示装置３の画面からタッチパネル機能により登録作業を進める機能を選択する。こうすることで、遊技情報表示装置３から信号を受けた遊技場管理用コンピュータ４が、この遊技情報表示装置を媒介として、遊技場管理用コンピュータ４へのアクセス許可信号を与える。図３においては、遊技場管理用コンピュータ４がＱＲコード（登録商標）のような２次元コードを遊技情報表示装置３の画面３１に表示させ、この２次元コードを遊技者が携帯通信端末６の、ＣＣＤカメラ等の撮像手段６２で読み取ることによって、アクセス許可の画像信号が与えられる。
【００２３】
このアクセス許可信号を得ることによって、遊技者は、携帯通信端末６を、図２におけ通信回線７を経て、遊技場管理用コンピュータ４にアクセスするとともに、画面の表示に従い、保有する携帯通信端末６の識別認証の手続を遊技場管理用コンピュータ４に対して行う。こうすることにより、遊技場管理用コンピュータ４は、識別認証対象の携帯通信端末６に対して識別認証情報を割り振り、その識別認証情報を、携帯通信端末に伝達する。図３において、識別認証情報は２次元コードとして携帯通信端末６が取得している。
【００２４】
携帯通信端末６が取得した識別認証情報は、遊技情報表示装置３で認識することを経て遊技場管理用コンピュータ４での登録が完了し、以後は、遊技情報表示装置４に認識させる度に、携帯通信端末６と、遊技情報表示装置３が設置された遊技台の情報は関連付けられた遊技データとして記憶される。
【００２５】
なお、図３において、遊技情報表示装置３と携帯通信端末６との情報伝達を２次元コードを用いた２次元画像により行っているが、これに拘るものではなく近距離通信（ＮＦＣ）や赤外線通信を用いても良い。
【００２６】
また、上記の実施の形態においては、携帯通信端末６が遊技場管理用コンピュータ４にアクセスするために種々のステップを要しているが、通信回線７がインターネット回線であって、遊技場運営者の開設したホームページに携帯通信端末６がアクセス可能であれば、このホームページから遊技場管理用コンピュータ４にアクセス出来ても良い。
【００２７】
携帯通信端末６と、遊技情報表示装置３が設置された遊技台の情報は関連付けられた遊技データが記憶され、蓄積された遊技履歴データの一例を図５に示す。これらのデータを機種別に集約したり（図６）、店舗別に集約することも可能である。
【００２８】
更に、遊技履歴データを遊技情報表示装置３で表示するのに際して、その表示内容の選択は遊技情報表示装置３のタッチパネルにより可能であり、表示内容のレイアウト変更や演出内容のカスタマイズは携帯通信端末６によって変更できる。なお、表示内容のカスタマイズを行うための機能を備えたアプリケーションプログラムは、遊技場管理用コンピュータ４や遊技場運営者のホームページから携帯通信端末６にダウンロードできるようになっている。
【００２９】
カスタマイズされた表示内容の例を図８に示す。ビッグボーナス（ＢＢ）回数、レギュラーボーナス（ＲＢ）回数、アシストリプレイタイム（ＡＲＴ）およびＳＴＡＲＴ回数を表示しつつ、履歴グラフも表示（図８Ａ）、スランプグラフも表示（図８Ｂ）、履歴グラフとスランプグラフの両方も表示（図８Ｃ）、過去データも表示（図８Ｄ）となるようにカスタマイズされている。
【００３０】
なお、携帯通信端末６に関連づけられた遊技履歴は、携帯通信端末６から発せられた識別認証情報を認識した遊技情報表示装置３のみが表示できるよう、遊技場管理用コンピュータ４は情報配信することが望ましい。
【００３１】
以上のように、本実施の形態により、携帯通信端末６を媒体として、遊技者と遊技データを関連付けて遊技場管理用コンピュータ４に記憶することができる。このため、蓄積された各自の遊技履歴データを遊技者が確認することが出来るし、携帯通信端末６を操作することにより、その表示内容の一部を際立たせて表示することも可能になる。一方、遊技場運営者にとっても、会員以外の遊技者の動向を把握することが出来、遊技場運営に役立てることも可能になる。
【００３２】
なお、ここまでは携帯通信端末６を媒体として、遊技者の遊技履歴の表示が可能な、遊技情報表示装置および遊技情報表示システムについて説明したが、遊技者の遊技履歴の媒体となるものとしては、会員カードがある。会員カードは、図９において、遊技台２の横に配置された台間機５で読み取られ、その会員カードの情報を遊技台と関連付けて、遊技場管理用コンピュータ４に記憶することが出来る。そこで、この会員カードの情報と関連付けられて記憶された情報を、携帯端末６と関連付けられた情報と連携することが出来れば、会員である遊技者にとってのメリットは大きい。そこで、同一遊技者の会員カードのＩＤと携帯通信端末の識別認証情報をリンクさせてデータ蓄積する機能を、遊技場管理用コンピュータ４が有していても良い。
【産業上の利用可能性】
【００３３】
本発明は、遊技場において、携帯通信端末を用いて遊技履歴データを活用するのに際して、遊技者にとっても、遊技場運営者にとっても有益に利用可能である。
【符号の説明】
【００３４】
１    遊技情報表示システム
２    遊技台
３    遊技情報表示装置
４    遊技場管理用コンピュータ
５    台間機
６    携帯通信端末
７    通信回線
２１    遊技台の表示装置
３１    遊技情報表示装置の画面
３２    遊技情報表示装置の撮像手段
６１    携帯通信端末の画面
６２    携帯通信端末の撮像手段
【図１】
2015107286.tif 000003
【図２】
2015107286.tif 000004
【図３】
2015107286.tif 000005
【図４】
2015107286.tif 000006
【図５】
2015107286.tif 000007
【図６】
2015107286.tif 000008
【図７】
2015107286.tif 000009
【図８】
2015107286.tif 000010
【図９】
2015107286.tif 000011
【図１０】
2015107286.tif 000012
【図１１】
2015107286.tif 000013
【図１２】
2015107286.tif 000014
【図１３】
2015107286.tif 000015
【図１４】
2015107286.tif 000016